(57)【要約】      （修正有）【課題】帽子内側に磁石を装着し、磁気の作用により頭脳活性および増毛促進効果を発揮し、商品の付加価値を高め、購買意欲を喚起し、帽子の需要増大に資することができるラバーマグネット装着帽子を提供する。【解決手段】帽子内側の形状に合わせて裁断４したラバーマグネット５を帽子内側に装着することにより、ラバーマグネットから発する磁気を頭部血管および神経系統に作用させ、これにより、頭脳明晰、増毛促進、および健康増進に資することができるラバーマグネット装着帽子を構成する。さらに、帽子内側の形状に合わせて裁断したラバーマグネットを帽子内側に装着するに際し、ハトメ金具２により固着することにより、ハトメ金具中央の穴により、通気性が増し、着用時の帽子と頭部間の環境において、過度の加湿を防止する形態を備えても良い。【選択図】図１
0003156606.tif 000002
【実用新案登録請求の範囲】
【請求項１】
帽子内側の形状に合わせて裁断したラバーマグネットを帽子内側に装着することにより、ラバーマグネットから発する磁気を頭部血管および神経系統に作用させ、これにより、頭脳明晰、増毛促進、および健康増進に資することを特徴とする帽子構造。
【請求項２】
前記、ラバーマグネットを帽子内側に装着するに際し、ハトメ金具により固着することにより、ハトメ金具中央の穴により、通気性がまし、着用時の帽子と頭部間の環境において、過度の加湿を防止する形態を備えることを特徴とする請求項１記載のラバーマグネット装着帽子構造。
【請求項３】
請求項１記載の、帽子内側にラバーマグネットを装着するに際し、マジックテープを使用する。すなわちマジックテープ片側を帽子内側に装着し、もう片側をラバーマグネットに装着する。これにより、ラバーマグネットと帽子が取り外し可能となり、洗濯などクリーニングがしやすくなることを特徴とする請求項１記載のラバーマグネット装着帽子構造。
【考案の詳細な説明】
【技術分野】
【０００１】  本考案は、帽子の機能と構造に関し、その構造において、帽子の内側にラバーマグネットを装着することにより、従来よりの帽子の機能に加え、頭脳活性および増毛促進に寄与する機能を付加する構造に係わる。
【背景技術】
【０００２】  従来から、帽子の主たる機能としては、頭部保護、頭部防暑、頭部防寒、頭部装飾、顔面および首の日焼け防止、目の直射日光からの保護などであり、性別・年齢にかかわらず幅広く利用されてきた。一方近年においては、類似商品との差別化および需要者の購買意欲を喚起するために、色々なデザインや機能上の工夫を施すことが重要になってきている。【０００３】  例えば、帽子の内布に磁石取り付け部を設け、そこに永久磁石を設けることにより、磁気が脳の血管や神経に作用し、よって肩こりや肩の痛みが取れる帽子が開示されている（特許文献１）。【０００４】  また、帽子の内側にコイン状の磁石を任意の位置に設け、磁石から発する磁気を頭皮に作用させ、増毛を促進する帽子が開示されている（特許文献２）。【０００５】
【先行技術文献】
【特許文献】
【特許文献１】登録実用新案３０３７６１０号広報
【特許文献２】登録実用新案３０９３０４８号広報
【考案の概要】
【考案が解決しようとする課題】
【０００６】  しかしながら、特許文献１記載の帽子では、内布に取り付けた磁石の出っ張りが大きい上、凹凸が生じ、被ったときに異物感が生じてしまい、被り心地が悪い。【０００７】  本考案では、比較的柔らかい永久磁石であるラバーマグネットを帽子内側に配することにより、直に、あるいはごく薄い布を通して頭部に磁気を作用させることができる。特許文献２記載の内側にコイン状の磁石を配する帽子は、断続的特定部位、または連続的特定部位に磁気を作用させるものであるが、本考案では、連続的不特定広範囲な部位に磁気を作用させるものである。【０００８】  本考案になる帽子は、外観上も被り心地も違和感がほとんどなく、かつ、頭部に強い磁力を作用させることができる。これにより本考案は、頭脳明晰・増毛促進効果を発揮し、商品の付加価値を高め、購買意欲を喚起し、帽子の需要増大に資することを目的とする。
【課題を解決するための手段】
【０００９】  本考案の帽子は、帽子の内側にラバーマグネットを配し、ハトメ金具、マジックテープ、接着剤など、出っ張りの少ない固定材で固定したものである。【００１０】  機能性、デザイン性を考慮した上、帽子内側の広範囲もしくは全面にラバーマグネットを配し、被り心地も考慮したものである。
【考案の効果】
【００１１】  本考案のラバーマグネット装着帽子構造は、磁気効果による頭脳活性・増毛促進を含む健康増進効果に寄与する。ラバーマグネットの帽子への固着に際し、ハトメ金具を使用する場合、ハトメ金具中央の穴が通気を促し、帽子内環境において過度の加湿を防ぐ。【００１２】  またラバーマグネットの帽子への装着に際し、マジックテープを使用することにより、帽子とラバーマグネットが着脱可能となり、洗濯など、クリーニングが容易となる。
【図面の簡単な説明】
【００１３】
【図１】  （ａ）、（ｂ）はそれぞれ本願考案のラバーマグネット装着帽子構造に使用するラバーマグネットをハトメ金具によって装着した外面、内面の平面図である。
【図２】  （ｃ）、（ｄ）はそれぞれ本願考案のラバーマグネット装着帽子構造に使用するラバーマグネットをマジックテープによって装着した外面、内面の平面図である。
【符号の説明】
【００１４】１・・・・・つば
２・・・・・ハトメ金具
３・・・・・帽子本体の縫い目
４、４ａ・・ラバーマグネットの切れ込み
５・・・・・ラバーマグネット
６・・・・・飾りボタン
７・・・・・内布
８・・・・・頭周長さ調整部
９・・・・・帽子本体外面
１０・・・・帽子本体内面
１１・・・・帽子本体外面
１２・・・・帽子本体内面
【考案を実施するための形態】
【００１５】  本考案のラバーマグネット装着帽子構造について、その帽子の形状およびラバーマグネットの形状は、無数に形成できるが、その実施の最良の形態について、図面に示す実施例に基づいて、具体的に説明する。
【実施例】
【００１６】  図１は、使用するラバーマグネットを帽子内側の形状に合わせて裁断し、ハトメ金具で帽子内側に固着したものである。【００１７】  図２は、使用するラバーマグネットを帽子内側の形状に合わせて裁断し、マジックテープの片側を帽子内側に装着し、マジックテープの反対側をラバーマグネットに装着し、マジックテープの接着により帽子にラバーマグネットを装着したものである。【００１８】  図１および図２は１例であり、機能性および経済性および美観を損なわず、ラバーマグネットを広範囲に帽子内側に装着することが目的である。
【産業上の利用可能性】
【００１９】  磁気効果による頭脳活性、増毛効果を含む健康増進効果に加え、過度の加湿を防ぐ構造およびクリーニングが容易になる構造により、機能面、被り心地において購買者の商品満足度を高め、さらなる購買意欲を喚起し、産業の発展に資することができる。
【図１】
0003156606.tif 000003
【図２】
0003156606.tif 000004
【手続補正書】
【提出日】平成21年8月12日(2009.8.12)
【手続補正１】
【補正対象書類名】実用新案登録請求の範囲
【補正対象項目名】全文
【補正方法】変更
【補正の内容】
【実用新案登録請求の範囲】
【請求項１】
帽子内側の形状に合わせて裁断したラバーマグネットを帽子内側に装着することにより、ラバーマグネットから発する磁気を頭部血管および神経系統に作用させ、これにより、頭脳明晰、増毛促進、および健康増進に資することを特徴とするラバーマグネット装着帽子構造。
【請求項２】
前記、帽子内側の形状に合わせて裁断したラバーマグネットを帽子内側に装着するに際し、ハトメ金具により固着することにより、ハトメ金具中央の穴により、通気性が増し、着用時の帽子と頭部間の環境において、過度の加湿を防止する形態を備えることを特徴とする請求項１記載のラバーマグネット装着帽子構造。
【請求項３】
請求項１記載の、帽子内側の形状に合わせて裁断したラバーマグネットを帽子内側に装着するに際し、マジックテープ（登録商標）を使用することにより、ラバーマグネットと帽子が取り外し可能となり、洗濯などクリーニングがしやすくなることを特徴とする請求項１記載のラバーマグネット装着帽子構造。
【手続補正２】
【補正対象書類名】明細書
【補正対象項目名】０００９
【補正方法】変更
【補正の内容】
【０００９】  本考案の帽子は、帽子の内側にラバーマグネットを配し、ハトメ金具、マジックテープ（登録商標）、接着剤など、出っ張りの少ない固定材で固定したものである。
【手続補正３】
【補正対象書類名】明細書
【補正対象項目名】００１２
【補正方法】変更
【補正の内容】
【００１２】  またラバーマグネットの帽子への装着に際し、マジックテープ（登録商標）を使用することにより、帽子とラバーマグネットが着脱可能となり、洗濯など、クリーニングが容易となる。
【手続補正４】
【補正対象書類名】明細書
【補正対象項目名】００１３
【補正方法】変更
【補正の内容】
【００１３】
【図１】  （ａ）、（ｂ）はそれぞれ本願考案のラバーマグネット装着帽子構造に使用するラバーマグネットをハトメ金具によって装着した外面、内面の平面図である。
【図２】  （ｃ）、（ｄ）はそれぞれ本願考案のラバーマグネット装着帽子構造に使用するラバーマグネットをマジックテープ（登録商標）によって装着した外面、内面の平面図である。
【手続補正５】
【補正対象書類名】明細書
【補正対象項目名】００１７
【補正方法】変更
【補正の内容】
【００１７】  図２は、使用するラバーマグネットを帽子内側の形状に合わせて裁断し、マジックテープの片側を帽子内側に装着し、マジックテープ（登録商標）の反対側をラバーマグネットに装着し、マジックテープの接着により帽子にラバーマグネットを装着したものである。
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
帽子内側の形状に合わせて裁断したラバーマグネットを帽子内側に装着することにより、ラバーマグネットから発する磁気を頭部血管および神経系統に作用させ、これにより、頭脳明晰、増毛促進、および健康増進に資することを特徴とするラバーマグネット装着帽子構造。
【請求項２】
帽子内側の形状に合わせて裁断したラバーマグネットを帽子内側に装着するに際し、ハトメ金具により固着することにより、ハトメ金具中央の穴により、通気性が増し、着用時の帽子と頭部間の環境において、過度の加湿を防止する形態を備えることを特徴とする請求項１記載のラバーマグネット装着帽子構造。
【請求項３】
請求項１記載の、帽子内側の形状に合わせて裁断したラバーマグネットを帽子内側に装着するに際し、マジックテープ（登録商標）を使用することにより、ラバーマグネットと帽子が取り外し可能となり、洗濯などクリーニングがしやすくなることを特徴とする請求項１記載のラバーマグネット装着帽子構造。